(57)【要約】【課題】本体の反射面の全体に亘って、必要十分な蒸着層を形成することが可能であり、良好な反射特性を実現することができるリフレクタを提供する。【解決手段】光源光の反射率を向上する若しくは光源光の反射率を維持する蒸着層４４を本体４１の内面に設けるリフレクタ４であって、本体４１の内面に、開口に向かって段階的に拡がるように配置して反射面４２を段差状に設け、反射面４２の各々に蒸着層４４を形成し、本体４１の略頂部に設けられる光源であるＬＥＤ３からの照射光を各反射面４２で反射して全体的に略平行光となるように出射する。【選択図】図１
2009087596.tif 000002
【特許請求の範囲】
【請求項１】
光源光の反射率を向上する蒸着層若しくは光源光の反射率を維持する蒸着層を本体の内面に設けるリフレクタであって、
前記本体の内面に、開口に向かって段階的に拡がるように配置して反射面を段差状に設け、
前記反射面の各々に前記蒸着層を形成し、
本体の略頂部に設けられる光源からの照射光を前記各反射面で反射して全体的に略平行光となるように出射することを特徴とするリフレクタ。
【請求項２】
光源からの照射光を略平行光の反射光として反射する略放物面状の第１の仮想反射面を想定し、前記第１の仮想反射面に沿って第１の反射面を設定し、
前記第１の仮想反射面と相似する第２の仮想反射面を前記光源の光中心を基準にして離間して想定し、前記第２の仮想反射面に沿って第２の反射面を設定することを特徴とする請求項１記載のリフレクタ。
【請求項３】
請求項１又は２記載の略碗状のリフレクタと、前記リフレクタの本体の略頂部に点状に配置する光源とで構成する照明モジュールを複数並設し、
前記並設した複数の照明モジュールに対応して光照射側に光拡散性で透光性の照明カバーを設けることを特徴とする照明器具。
【請求項４】
前記照明カバーの光入射側の背面に略山形の凸条若しくは凸部を設け、
前記凸条の側面若しくは前記凸部の側面の傾斜角度を、前記凸条の頂部若しくは前記凸部の頂部に向かって漸次急峻にすることを特徴とする請求項４記載の照明器具。
【請求項５】
請求項１又は２記載のリフレクタと、前記リフレクタの本体の略頂部に配置する光源とで構成する照明モジュールであって、
前記光源をＬＥＤ光源とし、
中央に凹曲面が形成され、前記凹曲面の外側に凸曲面が形成されているレンズを前記ＬＥＤ光源の周囲に設け、
前記凸曲面を通過する前記ＬＥＤ光源の照射光が前記リフレクタで反射され略平行光として外部に照射されるように、前記凸曲面の曲率を設定し、
前記凹曲面を通過する前記光源の照射光が前記リフレクタの反射による略平行光と略同一方向の略平行光として外部に照射されるように、前記凹曲面の曲率を設定することを特徴とする照明モジュール。
【発明の詳細な説明】
【技術分野】
【０００１】
本発明は、光源光の反射率を向上或いは維持する蒸着層を本体の内面に設けるリフレクタ及び前記リフレクタを備える照明器具並びに前記リフレクタを備える照明モジュールに関する。
【背景技術】
【０００２】
光源光の反射率を向上する蒸着層或いは反射率を維持する蒸着層を本体の内面に設けるリフレクタが知られている。例えば特許文献１には、ガラス、金属、樹脂のラッパ形状の本体の内面にアルミニウムの蒸着層を形成し、反射率を向上するリフレクタや、アルミニウムの本体の内面にチタン、シリコンなどの蒸着槽を形成し、変色やオイルミストの付着を防いで反射率を維持するリフレクタが記載されている。
【０００３】
【特許文献１】特開２００７−２４２４０９号公報
【発明の開示】
【発明が解決しようとする課題】
【０００４】
ところで、照明器具で所望の被照明領域の照明を行う際等に、光源光の利用効率、リフレクタでの反射後の配光制御性、配光デザインの多様性を高めるためには、リフレクタの開口を小さくし、リフレクタで反射した光が略平行になるようにして外部に照射するようにすることが望ましい。斯様な要望は、リフレクタの反射で平行度の高い光を出射可能なＬＥＤを光源とする照明器具に於いて顕著である。しかしながら、リフレクタの開口を小さくすると、リフレクタの深い部分に於ける蒸着層の形成が不十分となり、リフレクタの内面に反射率の劣る領域が生じて反射特性が悪化するという問題が生ずる。
【０００５】
本発明は上記課題に鑑み提案するものであり、光源光の反射率を向上する蒸着層或いは光源光の反射率を維持する蒸着層を本体の内面に設けるリフレクタに於いて、本体の反射面の全体に亘って、必要十分な蒸着層を形成することが可能であり、良好な反射特性を実現することができるリフレクタ及び前記リフレクタを備える照明器具並びに前記リフレクタを備える照明モジュールを提供することを目的とする。
【課題を解決するための手段】
【０００６】
本発明のリフレクタは、光源光の反射率を向上する蒸着層若しくは光源光の反射率を維持する蒸着層を本体の内面に設けるリフレクタであって、前記本体の内面に、開口に向かって段階的に拡がるように配置して反射面を段差状に設け、前記反射面の各々に前記蒸着層を形成し、本体の略頂部に設けられる光源からの照射光を前記各反射面で反射して全体的に略平行光となるように出射することを特徴とする。前記リフレクタは、略頂部に点状に光源が設けられる略碗状のリフレクタや、略頂部に長手方向に沿って線状に光源が設けられる略蒲鉾形のリフレクタ等を包含する。また、前記光源にはＬＥＤ光源とすると好適であるが、ＬＥＤ光源以外にも適宜の光源を使用することが可能であり、好ましくはＬＥＤ光源と同様に指向的な配光特性を有する光源とするとよい。
【０００７】
また、本発明のリフレクタは、光源からの照射光を略平行光の反射光として反射する略放物面状の第１の仮想反射面を想定し、前記第１の仮想反射面に沿って第１の反射面を設定し、前記第１の仮想反射面と相似する第２の仮想反射面を前記光源の光中心を基準にして離間して想定し、前記第２の仮想反射面に沿って第２の反射面を設定することを特徴とする。更に、同様に仕方で拡大倍率を順次変更して第１の仮想反射面と相似する第３、第４等の仮想反射面を想定し、第３、第４等の反射面を設定すると好適である。
【０００８】
また、本発明の照明器具は、本発明の略碗状のリフレクタと、前記リフレクタの本体の略頂部に点状に配置する光源とで構成する照明モジュールを複数並設し、前記並設した複数の照明モジュールに対応して光照射側に光拡散性で透光性の照明カバーを設けることを特徴とする。照明モジュールを複数並設する構成では、ＬＥＤなど光源とそれぞれ対応して基板が設けられる構成としてもよいが、複数のＬＥＤが基板に実装されているＬＥＤ実装基板など、複数の光源が一つの実装基板に実装されている構成を用いるとコスト面や小型化等の効果が得られるので好ましい。また、単体の照明モジュールに対応して光照射側に透光性の照明カバーを設ける構成とすることも可能である。
【０００９】
また、本発明の照明器具は、前記照明カバーの光入射側の背面に略山形の凸条若しくは凸部を設け、前記凸条の側面若しくは前記凸部の側面の傾斜角度を、前記凸条の頂部若しくは前記凸部の頂部に向かって漸次急峻にすることを特徴とする。前記略山形の凸条は例えばストライプ状に配設する構成、又、前記略山形の凸部は例えば格子状若しくは千鳥状若しくは同心円状に配設する構成等とすることが可能であり、更に前記略山形の凸部は円錐形若しくはピラミッド形等とすることが可能である。
【００１０】
また、本発明の照明モジュールは、本発明のリフレクタと、前記リフレクタの本体の略頂部に配置する光源とで構成する照明モジュールであって、前記光源をＬＥＤ光源とし、中央に凹曲面が形成され、前記凹曲面の外側に凸曲面が形成されているレンズを前記ＬＥＤ光源の周囲に設け、前記凸曲面を通過する前記ＬＥＤ光源の照射光が前記リフレクタで反射され略平行光として外部に照射されるように、前記凸曲面の曲率を設定し、前記凹曲面を通過する前記光源の照射光が前記リフレクタの反射による略平行光と略同一方向の略平行光として外部に照射されるように、前記凹曲面の曲率を設定することを特徴とする。
【００１１】
尚、本明細書開示の発明には、各発明や各実施形態等の構成の他に、これらの部分的な構成を適用可能な範囲で本明細書開示の他の構成に変更して特定したもの、或いはこれらの構成に適用可能な範囲で本明細書開示の他の構成を付加して特定したもの、或いはこれらの部分的な構成を部分的な作用効果が得られる限度で削除して特定した上位概念化したものも含まれる。
【発明の効果】
【００１２】
本発明では、リフレクタの本体の内面に、開口に向かって段階的に拡がるように配置して反射面を段差状に設けることにより、リフレクタの開口が大きく拡がるものとなる。そのため、リフレクタ本体内の反射面の全体に亘って、蒸着することが非常に容易になって、必要十分な蒸着層を形成することが可能となり、全体的に良好な反射特性を実現することができる。また、各反射面に照射される光源光を全体的に略平行光になるように反射することにより、光源光の利用効率の向上、リフレクタでの反射後の配光制御性の向上、配光デザインの多様化を図ることができる。また、光源として指向的な配光特性を有するＬＥＤ光源を用いる場合には、配光制御の容易性、的確性を格段に向上することができる。
【００１３】
また、光源からの照射光を略平行光の反射光として反射する略放物面状の第１の仮想反射面を想定し、前記第１の仮想反射面に沿って第１の反射面を設定し、前記第１の仮想反射面と相似する第２の仮想反射面を前記光源の光中心を基準にして離間して想定し、前記第２の仮想反射面に沿って第２の反射面を設定することにより、望ましい反射を行えるリフレクタの反射面を容易且つ正確に設定することが可能となる。
【００１４】
また、略碗状のリフレクタの略頂部に点状に光源を設ける照明モジュールを複数並設し、前記並設した複数の照明モジュールに対応して光照射側に光拡散性で透光性の照明カバーを設けることにより、各照明モジュールの照射光を混じり合わせ、照明器具による照明の均一性を高めることができる。また、照明カバーで配光制御することが可能となるから、低コスト且つ簡単に制御して適切な配光を得ることができると共に、空間デザインに適応して配光を容易に変更することができる。また、照明カバーで配光制御することにより、照明モジュールの共通化、標準化を促進することができる。
【００１５】
また、照明カバーの光入射側の背面に略山形の凸条若しくは凸部を設け、前記凸条の側面若しくは前記凸部の側面の傾斜角度を、前記凸条の頂部若しくは前記凸部の頂部に向かって漸次急峻にすることにより、比較的放射角の大きな照射光に対して大きい光束を割り当て、照明器具による照明面の照度の均一性を高めることができる。
【００１６】
また、ＬＥＤ光源の周囲の設けるレンズの凸曲面の曲率を、凸曲面を通過する光源の照射光がリフレクタで反射され略平行光として外部に照射されるように設定し、前記レンズの凹曲面の曲率を、凹曲面を通過する光源の照射光がリフレクタの反射による略平行光と略同一方向の略平行光として外部に照射されるように設定することにより、ＬＥＤ光源の発光をより平行化して外部に照射することが可能であり、光の利用効率を高めることができる。また、照明モジュールは全体的に略平行な光を出射可能であるから、出射後の照明カバー等による光の配光制御を容易化できると共に、より均一な照明を得るなど適切な配光制御をより正確に行うことができる。
【発明を実施するための最良の形態】
【００１７】
本発明の実施形態のリフレクタ、前記リフレクタを備える照明モジュール及び前記リフレクタを備える照明器具について図面に基づき説明する。
【００１８】
第１実施形態のリフレクタ４は、図１及び図３に示すように、照明モジュール１に設けられるリフレクタ４であり、照明モジュール１は、ＬＥＤ実装基板である円盤状の基板２と、基板２から突出している取付部２１に固定され、基板２上に設けられる光源のＬＥＤ３と、リフレクタ４とを備える。光源ユニットを構成するＬＥＤ３はチップ型のＬＥＤであり、基板２の中央に点設され、リフレクタ４の略頂部に位置するようにして設けられている。
【００１９】
リフレクタ４は段差面を有する略碗状であり、その本体４１には、リフレクタ開口に向かって段階的に拡がるようにして配置して反射面４２が段差状に複数設けられ、各反射面４２・４２間には中間面４３が設けられている。各反射面４２は、環状に形成されていると共に、リフレクタ４の開口に向かって漸次拡がる傾斜面として形成されている。本例に於ける各反射面４２の前記各傾斜面の水平方向（基準水平線Ｈの方向）に対する傾斜角度は、後述の如く始点ＳＰから終点ＦＰにかけて漸次急峻になるように変化させる構成としているが、始点ＳＰから終点ＦＰにかけて一定の傾斜角度とする構成とすることも可能である。各中間面４３は、環状に形成されていると共に、リフレクタ４の開口に向かって漸次拡がる傾斜面として形成されている。
【００２０】
リフレクタ４の反射面４２は、図１に示すように、頂部に設けられる光源であるＬＥＤ３からの照射光を略平行光としてリフレクタ開口から照射する略放物面状のリフレクタの反射面（仮想反射面ＶＲ１）と対応して設定される。前記設定に於いては、仮想反射面ＶＲ１をその反射光が開口から平行光として出射するように、反射角＝４５度＋（入射角／２）となるように形成し、更に、ＬＥＤ３の光中心から仮想反射面ＶＲ１に向けて基準角度線α１〜α６をひく。基準角度線α２は水平方向に延びる水平線であり、基準角度線α１とα３〜α６は水平な基準角度線α２に対して所定傾斜角度を有し、基準角度線α１〜α６は所定角度間隔で傾斜角度を順次増加する。本例の基準角度線α１〜α６は傾斜角度を１０度間隔で順次増加し、基準角度線α１は−１０度、α２は０度、α３の傾斜角度は１０度、α４の傾斜角度は２０度、α５の傾斜角度は３０度、α６の傾斜角度は４０度になっている。
【００２１】
更に、基準角度線α１とα２との間、α２とα３との間、α３とα４との間、α４とα５との間、α５とα６との間の各々に挟まれる仮想反射面ＶＲ１の各部分を各２つの基準角度線に沿うようにして外側に等倍で拡大し、その両端が各２つの基準角度線に位置するようにし、仮想反射面ＶＲ２を設定する。同様にして、更に順次外側に等倍で拡大し、仮想反射面ＶＲ３、ＶＲ４を設定する。前記拡大倍率は適宜であるが、例えば仮想反射面ＶＲ１とＶＲ２との間、ＶＲ２とＶＲ３との間、ＶＲ３とＶＲ４との間の水平方向の距離が等間隔で外側に拡がるようにする構成、又は仮想反射面ＶＲ１とＶＲ２との間、ＶＲ２とＶＲ３との間、ＶＲ３とＶＲ４との間の水平方向の距離が順次大きくなるようにして外側に拡がるようにする構成とすると好適である。
【００２２】
そして、基準角度線α１とα２との間に挟まれる仮想反射面ＶＲ１の部分と、基準角度線α２とα３との間に挟まれる仮想反射面ＶＲ１の部分とを最も光源よりの第１の反射面４２とし、基準角度線α３とα４との間に挟まれる仮想反射面ＶＲ２の部分を第２の反射面４２とし、基準角度線α４とα５との間に挟まれる仮想反射面ＶＲ３の部分を第３の反射面４２とし、基準角度線α５とα６との間に挟まれる仮想反射面ＶＲ４の部分を最もリフレクタ開口寄りの第４の反射面４２とする。
【００２３】
即ち、リフレクタ４の各反射面４２の設定に於いては、ＬＥＤ３からの照射光を略平行光の反射光として反射する略放物面状の第１の仮想反射面ＶＲ１を想定し、第１の仮想反射面ＶＲ１に沿って第１の反射面４２を設定し、第１の仮想反射面ＶＲ１と相似する第２の仮想反射面ＶＲ２をＬＥＤ３の光中心を基準にして離間して想定し、第２の仮想反射面ＶＲ２に沿って第２の反射面４２を設定し、第１の仮想反射面ＶＲ１に対して、第２の仮想反射面ＶＲ２より大きな倍率で相似する第３の仮想反射面ＶＲ３を、ＬＥＤ３の光中心を基準にして第２の仮想反射面ＶＲ２より外側に離間して想定し、第３の仮想反射面ＶＲ３に沿って第３の反射面４２を設定し、第１の仮想反射面ＶＲ１に対して、第２、第３の仮想反射面ＶＲ２、ＶＲ３より大きな倍率で相似する第４の仮想反射面ＶＲ４を、ＬＥＤ３の光中心を基準にして第３の仮想反射面ＶＲ３より外側に離間して想定し、第４の仮想反射面ＶＲ４に沿って第４の反射面４２を設定する。
【００２４】
仮想反射面ＶＲ１〜ＶＲ４に沿って設定した各反射面４２は、光源側からリフレクタ開口側に向かって傾斜角度が漸次急峻になる形状となり、又、光源側に位置する反射面４２よりも、よりリフレクタ開口側に位置する反射面４２の傾斜角度の方が急峻になっている。本例に於ける第１の反射面４２はリフレクタ開口に向かって傾斜角度が４０度〜５０度に漸次変化する傾斜面（基準角度線α１とα２の間で４０度〜４５度に変化し、α２とα３の間で４５度〜５０度に漸次変化している）、第２の反射面４２はリフレクタ開口に向かって傾斜角度が５０度〜５５度に漸次変化する傾斜面、前記第３の反射面４２はリフレクタ開口に向かって傾斜角度が５５度〜６０度に漸次変化する傾斜面、第４の反射面４２はリフレクタ開口に向かって傾斜角度が６０度〜６５度に漸次変化する傾斜面である。
【００２５】
図４にＬＥＤ５の中心軸に沿った照射光Ｌ０、リフレクタ４の反射面４２による反射光Ｌ１〜Ｌ５、仮想反射面ＶＲ１の反射光ＶＬ１〜ＶＬ５を示す。各々の反射面４２による反射光はＬ１〜Ｌ５は仮想反射面ＶＲ１の反射光ＶＬ１〜ＶＬ５よりも外側に拡がると共に、仮想反射面ＶＲ１の照射光ＶＬ１〜ＶＬ５と同様に、ＬＥＤ３からの照射光を反射して全体的に略平行光の照射光Ｌ１〜Ｌ５として外部に放射する。
【００２６】
また、本体４１の内面である反射面４２と中間面４３には、図２に示すように、真空蒸着等の蒸着により蒸着層４４が設けられている。蒸着層４４は、光源から照射される光の反射率を向上する機能層、或いは光源から照射される光の反射率を維持する機能層である。例えばリフレクタ４の本体４１を金属、樹脂、ガラス等で形成し、反射率を向上する機能層としてアルミニウムの蒸着層を形成する構成、或いは反射率の優れるアルミニウムを素材として本体４１を形成し、その内面に反射率を維持する機能層としてシリコン若しくはチタンの蒸着層を形成する構成等とすることが可能である。尚、本例では蒸着層４４を本体４１の反射面４２と中間面４３に形成する構成としたが、少なくとも反射面４２の各々に蒸着層４４を形成する構成であれば適宜である。
【００２７】
次に、上記実施形態のリフレクタ４を備える照明器具１００について説明する。
【００２８】
照明器具１００は、図５及び図６に示すように、リフレクタ４を備える照明モジュール１をリフレクタ４の開口側を揃え隣接して複数並設し、並設した複数の照明モジュール１に対して光照射側（リフレクタ４の開口側）に光拡散性で透光性の照明カバー１１０を設け、各照明モジュール１から照射される略平行な照射光Ｌを照明カバー１１０で拡散して照射光Ｌ’Ｌとして照射するものである。
【００２９】
照明カバー１１０は、アクリル樹脂等で形成され、長矩形の平板状の基体１１１と、光の入射側である基体１１１の上面に形成されている正面視略二等辺三角状で略山形の凸条１１２とを備える。凸条１１２は、照明カバー１１０の長手方向に沿って延設されていると共に、照明カバー１１０の幅方向に所定ピッチで複数条形成され、ストライプ状に規則的に形成されている。
【００３０】
図７に於いて、１１３は凸条１１２の傾斜面である側面、１１４は凸条１１２の頂部に相当する稜線、１１５は凸条１１２の底部に相当する凸条１１２・１１２間の谷線である。凸条１１２は、谷線１１５から稜線１１４に向かって傾斜角度が漸次急峻になる傾斜面を側面１１３とし、前記傾斜面は下に凸の略放物線状になっている。これにより、凸条１１２の上側から照射される略平行光の照明カバー１１０に対する入射角θ１及び放射角θ２を、稜線１１４に近い部分ほど大きくし、谷線１１５に近い部分ほど小さくすることが可能になっている。
【００３１】
前記構成では、稜線１１４に隣接する傾斜角度が大きい領域はより多くの光束を受光し且つ放射角θ２がより大きくなるように屈折し、大きな放射角θ２で多くの光束を照明光として放射する（光路ＬＲ１）。また、比較的谷線１１５に近く傾斜角度が比較的小さい領域は、少なめの光束を受光し且つ放射角θ２が比較的小さくなるように屈折し、比較的小さい放射角θ２で比較的少なめの光束を照明光として放射する（光路ＬＲ２）。そして、放射角θ２が大きく照明面までの距離が長い照明光の照明面での照度と、放射角θ２が小さく照明面までの距離が短い照明光の照明面での照度が略同一となり、各放射角θ２での照明光の照明面での照度がそれぞれ略同一となるので、照明面を略均等の照度で照明することが可能である。
【００３２】
上記実施形態のリフレクタ４、照明モジュール１及び照明器具１００は、本体４１の内面に、リフレクタ４の開口に向かって段階的に拡がるようにして反射面４２を段差状に設けることにより、リフレクタ４の開口が大きく拡がるものとなる。そのため、本体４１内の各反射面４２の全体に亘って、必要十分な蒸着層４４を形成することが可能となり、全体的に良好な反射特性を実現することができる。また、各反射面４２に照射される光源光を全体的に略平行光になるように反射することにより、光源光の利用効率の向上、リフレクタ４での反射後の配光制御性の向上、配光デザインの多様化を図ることができる。また、仮想反射面ＶＲ１〜ＶＲ４で反射面４２を設定することにより、望ましい反射を行えるリフレクタ４の反射面４２を容易且つ正確に設定することが可能となる。
【００３３】
また、略碗状のリフレクタ４の略頂部に点状に光源を設ける照明モジュール１を複数並設し、並設した複数の照明モジュール１に対応して光照射側に光拡散性で透光性の照明カバー１１０を設けることにより、各照明モジュール１の照射光を混じり合わせ、照明器具１００による照明の均一性を高めることができる。また、照明カバー１１０で配光制御することが可能となるから、低コスト且つ簡単に制御して適切な配光を得ることができると共に、空間デザインに適応して配光を容易に変更することができ、更に、照明モジュール１の共通化、標準化を促進することができる。また、照明カバー１１０の光入射側の背面に略山形の凸条１１２を設け、凸条１１２の側面１１３の傾斜角度を、凸条１１２の頂部に向かって漸次急峻にすることにより、比較的放射角の大きな照射光に対して大きい光束を割り当て、照明器具１００による照明面の照度の均一性を高めることができる。
【００３４】
尚、上記実施形態の照明モジュール１では、略碗状のリフレクタ４の略頂部に光源であるＬＥＤ５を点状に配置する構成としたが、例えば略蒲鉾状のリフレクタの略頂部に長手方向に沿って所定間隔でＬＥＤ５を設けるなど線状にＬＥＤを設ける照明モジュール或いは照明器具とすることも可能である。前記構成は、例えば図１の照明モジュール１や図６の照明器具１００を図示する断面形状で紙面垂直方向に延設する構成となる。
【００３５】
また、上記照明モジュール１を複数並設する照明器具１００では、ＬＥＤ５にそれぞれ対応して基板２を設ける構成としたが、複数のＬＥＤ５が一つ基板２に実装されているＬＥＤ実装基板（チップオンＬＥＤ）を用いると好適であり、これにより、コスト面や小型化等の面で有利となる。また、単体の照明モジュール１に対応して光照射側に透光性の照明カバー１１０を設けて照明器具とすることも可能である。
【００３６】
また、上記照明器具１００では、照明カバー１１０の光入射側の背面に略山形の凸条１１２を設ける構成としたが、前記凸条１１２に代え、円錐形やピラミッド形など略山形の凸部を規則的に配置する構成としてもよい。前記凸部の規則的な配置は、例えば格子状、千鳥状、同心円状等とすることが可能である。また、前記凸部でも、本例の凸条１１２と同様に、前記凸部の側面の傾斜角度を、前記凸部の底部から頂部に向かって漸次急峻にすることが好ましい。
【００３７】
また、上記実施形態ではチップ型のＬＥＤ３で光源ユニットを構成したが、例えば図８に示すように、ＬＥＤ３と、ＬＥＤ３の周囲に設けられるレンズ２００とで光源ユニットを構成すると、ＬＥＤ３の放射光をより平行化することができて好適である。
【００３８】
図６のレンズ２００は、略半球面状の凸レンズの外面中央に皿状の凹曲面２０２が形成されている形状であり、中央の凹曲面６２の外周面に凸曲面２０１が形成されている。レンズ２００内には、凹曲面２０２の中央に対応するようにして光源であるＬＥＤ３が収容され、ＬＥＤ３と取付部２１とがレンズ２００の内面と密接して収容されている。レンズ２００の両側端部は基板２に固着されている。
【００３９】
凸曲面２０１の曲率は、凸曲面２０１を通過するＬＥＤ３の照射光をリフレクタ４に照射し、リフレクタ４で反射してリフレクタ開口から略平行光として外部に照射可能に設定して形成し、前記曲率はレンズ６の素材の屈折率から適宜設定することが可能であるが、本例の凸曲面２０１は、ＬＥＤ３の光中心を中心とする略半球面状とし、光中心からの照射光を直線状の照射光ＳＬとしてリフレクタ４に導くことが可能な構成になっている。凹曲面２０２の曲率は、凹曲面２０２を通過するＬＥＤ３の照射光をリフレクタ４の開口側から略平行光として照射可能な曲率に設定して形成し、前記曲率はレンズ６の素材の屈折率から適宜設定する。凹曲面２０２を通過するＬＥＤ３の照射光は、凹曲面２０２で屈折して略平行な照射光ＢＬとして外部に照射される。そして、凸曲面２０１の通過及びリフレクタ４の反射による略平行な照射光と、凹曲面２０２の通過による略平行な照射光ＣＬは、互いに略平行に照射され、略同一方向の略平行光として外部に照射される。尚、レンズ２００も、光源を線状に設ける場合には、例えば図８の断面形状で紙面垂直方向に延設する構成にして用いることが可能である。
【産業上の利用可能性】
【００４０】
本発明は、例えば室内照明や屋外照明の照明器具に利用することができる。
【図面の簡単な説明】
【００４１】
【図１】照射方向を上向きにした状態に於ける、第１実施形態のリフレクタを備える照明モジュールの縦断説明図。
【図２】図１のリフレクタの要部縦断面図。
【図３】図１の照明モジュールの底面図。
【図４】図１の照明モジュールの光路を示す縦断説明図。
【図５】図１の照明モジュールを備える照明器具の底面図。
【図６】図１の照明モジュールを備える照明器具の縦断説明図。
【図７】図６の照明器具に於ける照明カバーの部分拡大説明図。
【図８】ＬＥＤの周囲にレンズを設ける例の光源ユニットを示す部分縦断説明図。
【符号の説明】
【００４２】
１…照明モジュール  ２…基板  ２１…取付部  ３…ＬＥＤ  ４…リフレクタ  ４１…本体  ４２…反射面  ４３…中間面  ４４…蒸着層  １００…照明器具  １１０…照明カバー  １１１…基体  １１２…凸部  １１３…側面  １１４…稜線  １１５…谷線  ２００…レンズ  ２０１…凸曲面  ２０２…凹曲面
ＶＲ１〜ＶＲ４…仮想反射面  α１〜α６…基準角度線  ＳＰ…始点  ＦＰ…終点  Ｌ０…ＬＥＤ光源の照射光  Ｌ１〜Ｌ５…リフレクタの反射面による反射光  ＶＬ１〜ＶＬ５…仮想反射面による反射光  Ｌ、Ｌ’…照射光  ＬＲ１，ＬＲ２…照射光の光路  ＣＬ…中心近傍の照射光  ＳＬ…周辺の照射光
【図１】
2009087596.tif 000003
【図２】
2009087596.tif 000004
【図３】
2009087596.tif 000005
【図４】
2009087596.tif 000006
【図５】
2009087596.tif 000007
【図６】
2009087596.tif 000008
【図７】
2009087596.tif 000009
【図８】
2009087596.tif 000010